(57)【要約】放送波から取得した記録コンテンツの再生においても、当該コンテンツの取得時に通信経由で取得可能なコンテンツを再生することができるデジタル放送記録再生装置を開示する。この装置では、データ放送コンテンツを含む放送波は多重化分離部（１０５）によって映像、音声及びデータ放送コンテンツに分離され、分離されたデータ放送コンテンツ内に、通信経由で取得する通信経由コンテンツのアンカー情報が含まれるか否かが制御部（１０２）によって解析される。データ放送コンテンツ内にアンカー情報が含まれる場合、通信部（１１７）がアンカー情報に基づいて通信経由コンテンツを取得する。通信部（１１７）によって取得された通信経由コンテンツはアンカー情報と対応付けて記録再生処理部（１０８）によってデータ蓄積部（１０９）に蓄積される。【特許請求の範囲】
【請求項１】
データ放送コンテンツを含む放送波を受信する受信手段と、
前記受信手段によって受信されたデータ放送コンテンツ内に、通信経由で取得する通信経由コンテンツのアンカー情報が含まれるか否かを解析する解析手段と、
前記解析手段の解析結果がデータ放送コンテンツ内にアンカー情報を含むことを示す場合、アンカー情報に基づいて通信経由コンテンツを取得する通信経由コンテンツ取得手段と、
前記通信経由コンテンツ取得手段によって取得された通信経由コンテンツを前記アンカー情報と対応付けて蓄積する蓄積手段と、
を具備するデジタル放送記録再生装置。
【請求項２】
前記通信経由コンテンツ取得手段は、前記解析手段の解析結果がデータ放送コンテンツの更新を示す場合、更新されたデータ放送コンテンツ内に含まれる新たなアンカー情報に基づいて通信経由コンテンツを取得する請求項１に記載のデジタル放送記録再生装置。
【請求項３】
前記通信経由コンテンツ取得手段は、取得した通信経由コンテンツ内にさらにアンカー情報が含まれる場合、当該アンカー情報に基づいて通信経由コンテンツを取得する請求項１に記載のデジタル放送記録再生装置。
【請求項４】
前記通信経由コンテンツ取得手段は、アンカー情報に含まれると共にコンテンツを識別するコンテンツ識別情報が、リンクコンテンツを示すことを条件に通信経由コンテンツを取得する請求項３に記載のデジタル放送記録再生装置。
【請求項５】
前記蓄積手段に蓄積された放送コンテンツを再生し、再生中の放送コンテンツから通信経由コンテンツに遷移する際、前記蓄積手段に蓄積された通信経由コンテンツを再生する記録再生処理手段を具備する請求項１に記載のデジタル放送記録再生装置。
【請求項６】
前記記録再生処理手段は、前記蓄積手段に蓄積された通信経由コンテンツの再生ができない場合、前記通信経由コンテンツ取得手段を介して通信経由コンテンツを取得し、取得した通信経由コンテンツを再生すると共に、前記蓄積手段に蓄積させる請求項１に記載のデジタル放送記録再生装置。
【発明の詳細な説明】
【技術分野】
【０００１】  本発明は、デジタル放送記録再生装置に関する。
【背景技術】
【０００２】  ＢＳデジタル放送や地上波デジタル放送では、映像情報及び音声情報を放送波に含めることができることに加え、データ放送としてＢＭＬ（Ｂｒｏａｄｃａｓｔ  Ｍａｒｋｕｐ  Ｌａｎｇｕａｇｅ）コンテンツやモノメディアを放送波に含めることができる。【０００３】  ＢＭＬやモノメディアを受信したテレビ等の受信装置に予めインターネットへの接続環境が整っていれば、例えば、ＢＭＬ内にアンカー情報として記述されたＵＲＩ（Ｕｎｉｆｏｒｍ  Ｒｅｓｏｕｒｃｅ  Ｉｄｅｎｔｉｆｉｅｒ）を辿ることにより、インターネット上のコンテンツにアクセスすることができる。【０００４】  このようなデジタル放送を受信する受信装置には、録画機能を備えたものも知られており、例えば、特許文献１に記載されている技術が開示されている。特許文献１に記載のデジタル放送記録再生装置によれば、データカルーセル方式でコンテンツを伝送するＭＰＥＧ方式のトランスポートストリームによるデジタル放送を記録するとき、データ放送のデータパケットと映像／音声ストリームとを分離して記録すると共に、データパケットの送出終了時刻を映像／音声ストリームに同期可能なタイムスタンプとしてデータパケットに付加して記録する。これにより、データパケットを重複することなく記録し、かつ、映像／音声ストリームと同期して指定される時刻で再生することができる。【０００５】  ところで、近年、テレビの視聴及び録画が可能な携帯電話等の小型携帯端末が普及しつつあり、このような小型携帯端末に対して、地上波デジタル放送では、１つのチャンネルの帯域（６ＭＨｚ）を１３分割したうちの１つ（１セグメント）を割り当て、割り当てた帯域を利用してサービスを行うことが予定されている。このデータ放送サービスを部分受信放送という。１セグメントで送信される情報量は非常に少ないため、小型携帯端末においても受信したデータ放送によってリンクされたコンテンツへのアクセスが想定される。
【特許文献１】特開２００２−１５２６８８号公報
【発明の開示】
【発明が解決しようとする課題】
【０００６】  しかしながら、特許文献１に記載のデジタル放送記録再生装置では、インターネット等の通信経由で取得するコンテンツまでは記録することができない。例えば、放送波に含まれるデータ放送コンテンツを記録していても、半年後あるいは１年後といった長い期間をおいて記録コンテンツを再生し、この再生中に通信経由でコンテンツを取得しようとしても、該当するコンテンツが既にサーバから削除または更新されている可能性が高い。このような場合には所望のコンテンツを取得することができなくなる。【０００７】  本発明の目的は、放送波から取得した記録コンテンツの再生においても、当該コンテンツの取得時に通信経由で取得可能なコンテンツを再生することができるデジタル放送記録再生装置を提供することである。
【課題を解決するための手段】
【０００８】  本発明のデジタル放送記録再生装置は、データ放送コンテンツを含む放送波を受信する受信手段と、前記受信手段によって受信されたデータ放送コンテンツ内に、通信経由で取得する通信経由コンテンツのアンカー情報が含まれるか否かを解析する解析手段と、前記解析手段の解析結果がデータ放送コンテンツ内にアンカー情報を含むことを示す場合、アンカー情報に基づいて通信経由コンテンツを取得する通信経由コンテンツ取得手段と、前記通信経由コンテンツ取得手段によって取得された通信経由コンテンツを前記アンカー情報と対応付けて蓄積する蓄積手段と、を具備する構成を採る。【０００９】  この構成によれば、放送波によって受信したデータ放送コンテンツに含まれるアンカー情報に基づいて、通信経由でコンテンツを取得し、取得したコンテンツをアンカー情報と対応付けて蓄積することにより、蓄積された放送コンテンツを再生する際に、アンカー情報で示された通信経由コンテンツを通信を介することなく再生することができる。
【発明の効果】
【００１０】  本発明によれば、放送波から取得した記録コンテンツの再生においても、当該コンテンツの取得時に通信経由で取得可能なコンテンツを再生することができる。
【図面の簡単な説明】
【００１１】
【図１】本発明の一実施の形態におけるコンテンツの定義の説明に供する図
【図２】本発明の一実施の形態に係るデジタル放送記録再生装置の構成を示すブロック図
【図３】図２に示した制御部の内部構成を示すブロック図
【図４】図２に示したデジタル放送記録再生装置の記録処理の手順を示すフロー図
【図５】図４に示したコンテンツ解析取得処理の詳細な手順を示すフロー図
【図６】図２に示したデジタル放送記録再生装置の再生処理の手順を示すフロー図
【発明を実施するための最良の形態】
【００１２】  以下、本発明の実施の形態について、図面を参照して詳細に説明する。【００１３】  （一実施の形態）
まず、本発明の一実施の形態におけるコンテンツについて図１を用いて定義する。コンテンツには、放送コンテンツ、リンクコンテンツ、非リンクコンテンツ、通信事業者仕様コンテンツがある。アンカー情報は、再生中のコンテンツから次のコンテンツに遷移するための情報であり、図１に示したコンテンツ間をつないだ矢印に相当する。アンカー情報により、例えば、放送コンテンツからリンクコンテンツ、非リンクコンテンツ、及び、通信事業者仕様コンテンツへの遷移が可能となる。ちなみに、アンカー情報のＵＲＩの先頭がｈｔｔｐ：であれば放送事業者コンテンツであるというように、ＵＲＩにより各コンテンツを区別する。【００１４】  放送コンテンツには、放送波から取得される映像、音声、データ放送コンテンツが含まれる。リンクコンテンツは、データ放送規格に準拠した受信装置がリンク状態で提示することを想定して記述されたコンテンツである。放送コンテンツ及びリンクコンテンツを総称して放送事業者コンテンツという。なお、リンク状態とは、放送局が管理する双方向ウェブサーバ上のＢＭＬコンテンツと、放送のリソースである映像・音声とを受信装置が受信、再生することが可能な状態であり、具体的には、放送事業者コンテンツを再生している状態をいう。【００１５】  また、非リンクコンテンツは、データ放送規格に準拠した受信装置がデータ放送ブラウザにより提示することを想定して記述されたコンテンツである。リンクコンテンツと非リンクコンテンツを総称して通信コンテンツといい、双方向ウェブサーバ上に配置されたＢＭＬコンテンツを指す。なお、上記リンク状態に対して非リンク状態とは、通信コンテンツのみを受信装置が受信、再生し、受信装置は放送のリソースである映像・音声を参照することができない状態であり、具体的には、放送事業者コンテンツ以外を再生している状態をいう。【００１６】  そして、通信事業者仕様コンテンツは、通信事業者が定めた仕様に基づいて記述され、双方向ウェブサーバ上に配置されたコンテンツであり、ｉモード（登録商標）に代表される携帯電話網を用いたインターネット接続サービスによって提供されるコンテンツである。【００１７】  放送コンテンツは放送波から取得するものであり、リンクコンテンツ、非リンクコンテンツ及び放送事業者仕様コンテンツは、インターネット等の通信経由で取得するものであることから通信経由コンテンツと称する。【００１８】  図２は、本発明の一実施の形態に係るデジタル放送記録再生装置１００の構成を示すブロック図である。この図において、入力部１０１はボタンキー等であり、ユーザはボタンキーを操作することにより、再生、記録、選局等の指示を制御部１０２に入力する。【００１９】  制御部１０２は、入力部１０１からの指示を受けて、デジタル放送記録再生装置１００内の各部を制御することにより、再生、記録、選局などを行う。制御部１０２の詳細については後述する。【００２０】  チューナ部１０４は、放送アンテナ１０３を介して受信した放送波からユーザによって指定されたチャンネルの周波数信号を抽出し、抽出した周波数信号の符号復調処理を行う。符号復調処理された信号は多重化分離部１０５及び制御部１０２に出力される。【００���１】  多重化分離部１０５は、制御部１０２から受信コンテンツの再生要求を受けると、チューナ部１０４から出力された信号を映像情報、音声情報、データ放送コンテンツなどに分離する。また、制御部１０２から記録コンテンツの再生要求を受けると、記録されたコンテンツを後述する記録再生処理部１０８を介して取得し、取得したコンテンツを映像情報、音声情報、データ放送コンテンツなどに分離する。分離された映像情報は映像処理部１１３に、音声情報は音声処理部１０６に、データ放送コンテンツはＤＳＭＣＣ処理部１１０にそれぞれ出力される。さらに、制御部１０２から記録要求を受けると、チューナ部１０４から出力された信号を分離することなく、トランスポートストリームの状態で記録再生処理部１０８に出力する。なお、チューナ部１０４及び多重化分離部１０５は、受信手段として機能する。【００２２】  音声処理部１０６は、多重化分離部１０５から出力され、ＡＡＣ（Ａｄｖａｎｃｅｄ  Ａｕｄｉｏ  Ｃｏｄｉｎｇ）などで符号化された音声ストリームを復号し、復号した信号を音声出力部１０７に出力する。音声出力部１０７は、音声処理部１０６から出力された音声を出力する。【００２３】  記録再生処理部１０８は、制御部１０２から記録要求を受けると、多重化分離部１０５から出力されたトランスポートストリームを取得し、取得したトランスポートストリームをデータ蓄積部１０９に蓄積する。また、制御部１０２から記録コンテンツの再生要求を受けると、データ蓄積部１０９から蓄積されたトランスポートストリームを読み出し、読み出したトランスポートストリームを多重化分離部１０５に出力する。【００２４】  データ蓄積部１０９は、不揮発メモリ又は着脱可能な不揮発メモリであり、記録再生処理部１０８によってトランスポートストリームが蓄積され、また、蓄積されたトランスポートストリームが読み出される。【００２５】  ＤＳＭＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）処理部１１０は、データを繰り返し伝送する方式であるデータカルーセル方式によって送信されるデータ放送のモジュール（データカルーセルを構成する単位）を多重化分離部１０５から取得し、取得したモジュールからデータ放送コンテンツを構築する。構築されたデータ放送コンテンツはデータ放送再生処理部１１１に出力される。また、多重化分離部１０５からデータ放送関連のデータを取得し、取得したデータ放送コンテンツを解析することにより、イベントメッセージ及びモジュールの更新などの通知を受け、その旨を制御部１０２、記録再生処理部１０８及びデータ放送再生処理部１１１に通知する。なお、イベントメッセージとは、デジタル放送記録再生装置１００で動作しているマルチメディアコンテンツに対して放送局から即座にあるいは時刻指定でメッセージを単発的に送信するものである。【００２６】  データ放送再生処理部１１１は、ＢＭＬを表示する放送コンテンツ表示ブラウザであり、制御部１０２からデータ放送の再生要求を受けると、ＤＳＭＣＣ処理部１１０から出力されたデータ放送コンテンツの再生を行い、再生したコンテンツを表示処理部１１４に出力する。また、データ放送コンテンツ��再生又は停止を行うと、その動作確認通知を制御部１０２に対して行う。【００２７】  通信事業者仕様コンテンツ再生処理部１１２は、通信事業者が定めた仕様に基づいて実装されたブラウザ（例えば、ｉ−ｍｏｄｅ（登録商標）ブラウザ）であり、制御部１０２から通信事業者仕様コンテンツの再生要求を受けると、制御部１０２から出力されたＨＴＭＬコンテンツ又は通信事業者が定めたコンテンツの再生を行い、再生したコンテンツを表示処理部１１４に出力する。また、通信事業者仕様コンテンツの再生又は停止を行うと、その動作確認通知を制御部１０２に対して行う。【００２８】  映像処理部１１３は、多重化分離部１０５から出力され、高度動画像圧縮方式であるＨ．２６４（正式には、Ｈ．２６４／ＡＶＣ（Ａｄｖａｎｃｅｄ  Ｖｉｄｅｏ  Ｃｏｄｉｎｇ））などで符号化された映像ストリームを復号し、復号した信号を表示処理部１１４に出力する。【００２９】  表示処理部１１４は、映像処理部１１３で復号された映像ストリームとデータ放送再生処理部１１１及び通信事業者仕様コンテンツ再生処理部１１２から出力されたコンテンツを合成し、合成した情報を表示部１１５に出力する。表示部１１５は、表示処理部１１４から出力された情報を表示する。【００３０】  通信経由コンテンツ取得手段としての通信部１１７は、制御部１０２から通信経由コンテンツ取得要求を受けると、通信アンテナ１１６を介して通信ネットワークに接続し、双方向通信を行うことにより通信経由コンテンツを取得し、取得した通信経由コンテンツを制御部１０２に出力する。【００３１】  図３は、図２に示した制御部１０２の内部構成を示すブロック図である。この図において、入力制御部１２１は、入力部１０１から指示された内容を再生要求、記録要求、選局要求などの要求情報に変換し、要求情報を全体制御部１２２に出力する。【００３２】  全体制御部１２２は、入力制御部１２１から出力された要求情報に基づいて、選局部１２３、記録再生制御部１２４、データ放送制御部１２５及び通信部１１７の各部を制御する。【００３３】  選局部１２３は、全体制御部１２２からの制御を受け、チューナ部１０４に周波数チャンネルを設定し、設定した周波数チャンネルに受信可能な放送波（トランスポートストリーム）がある場合は、周波数チャンネル選局の成功とし、チューナ部１０４から多重化分離部１０５へトランスポートストリームのまま出力させる。また、多重化分離部１０５で分離されたデータの解析を行い、解析により得られるトランスポートストリームのサービス構成を基に、トランスポートストリーム内の指定サービスの映像、音声などのストリームを抽出するように多重化分離部１０５を設定する。【００３４】  記録再生制御部１２４は、全体制御部１２２からの制御を受け、ＵＲＩディレクトリを作成し、ＵＲＩから記録に必要なファイル名を抽出し、抽出したファイル名を録画ファイル名として取得したコンテンツに付け加え、記録再生処理部１０８に出力する。また、記録再生制御部１２４は、記録再生処理部１０８から録画開始、録画停止、データ蓄積部１０９の記録可能領域（空き容量）がなくなることによる記録不可などの動作確認通知を受け、その動作確認通知を全体制御部１２２に出力する。【００３５】  データ放送制御部１２５は、全体制御部１２２から制御を受け、データ放送再生制御を行う。具体的には、以下のような処理を行う。データ放送制御部１２５は、ＤＳＭＣＣ処理部１１０を動作させ、データ放送コンテンツの構築を行わせ、構築されたデータ放送コンテンツをＤＳＭＣＣ処理部から取得する。また、通信部１１７からデータ放送コンテンツを取得する。このように取得したデータ放送コンテンツをデータ放送制御部１２５が解析し、解析結果を記録再生制御部１２４に通知する。なお、ＤＳＭＣＣ処理部１１０及びデータ放送制御部１２５は、解析手段として機能する。【００３６】  また、データ放送制御部１２５は、データ放送再生処理部１１１に再生指示又は停止指示を行い、データ放送コンテンツの再生又は停止を行わせ、データ放送再生処理部１１１から動作確認通知を取得する。【００３７】  さらに、データ放送制御部１２５は、通信経由コンテンツへの遷移が生じた場合、通信経由コンテンツを取得し、取得したコンテンツをその種別をファイル名の拡張子に基づいて判断する。拡張子が．ｂｍｌなどのデータ放送コンテンツはデータ放送再生処理部１１１に出力され、拡張子がｈｔｍｌなどの通信事業者仕様コンテンツは通信事業者仕様コンテンツ再生処理部１１２に出力される。すなわち、データ放送制御部１２５は通信経由コンテンツの種別に応じてデータ放送再生処理部１１１と通信事業者仕様コンテンツ再生処理部１１２との動作を排他的に切り替える。【００３８】  なお、データ放送制御部１２５は、放送コンテンツにアンカー情報が含まれているか否かの解析を行い、アンカー情報が含まれていればアンカー情報に基づいてコンテンツを取得する。そして、取得したコンテンツをデータ蓄積部１０９に蓄積するように記録再生制御部１２４に指示する。【００３９】  次に、図２に示したデジタル放送記録再生装置１００の記録処理の手順について図４を用いて説明する。図４において、ステップ（以下、「ＳＴ」と省略する）１３１では、データ蓄積部１０９が放送コンテンツを蓄積する。このとき、データ放送コンテンツのみを記録する方式、映像・音声とデータ放送コンテンツとを同時に記録する方式などいくつかの記録方式が考えられるが、指定された場所又は時間から再生可能な方式で記録すればその方式は何でもよい。【００４０】  ＳＴ１３２では、ＤＳＭＣＣ処理部１１０がデータ放送コンテンツの追加、変更、削除を含む更新の有無を判定する。データ放送コンテンツが更新されている（ＹＥＳ）と判定されたらＳＴ１３３に移行し、更新されていない（ＮＯ）と判定されたらＳＴ１３６に移行する。ここで、データ放送コンテンツの更新には、番組の開始、終了、データ放送の開始、終了も含むものとする。【００４１】  ＳＴ１３３では、データ放送制御部１２５が現在放送されている放送コンテンツを全て取得し、ＳＴ１３４では、データ放送制御部１２５がアンカー情報の有無について未解析のコンテンツがあるか否かを判定する。未解析のコンテンツがある（ＹＥＳ）と判定されたらＳＴ１３５に移行し、未解析のコンテンツがない（ＮＯ）と判定されたらＳＴ１３６に移行する。【００４２】  ＳＴ１３５では��ＤＳＭＣＣ処理部１１０が未解析のコンテンツにアンカー情報が含まれるか否かを解析し、アンカー情報が含まれていたらアンカー情報に基づいて、通信経由コンテンツを取得し、ＳＴ１３４に戻る。なお、ＳＴ１３５の処理をコンテンツ解析取得処理と称し、その詳細な手順については後述する。【００４３】  ＳＴ１３６では、ユーザの入力操作による記録停止要求、電池残量低下などシステムによる記録停止要求があるか否かを全体制御部１２２が判定する。記録停止要求がある（ＹＥＳ）と判定されたらデジタル放送記録再生装置１００の記録処理を終了し、記録停止要求がない（ＮＯ）と判定されたらＳＴ１３１に戻る。【００４４】  次に、図４のＳＴ１３５に示したコンテンツ解析取得処理の詳細な手順について図５を用いて説明する。図５において、ＳＴ１４１では、データ放送制御部１２５が未解析の放送コンテンツ及び通信経路コンテンツにアンカー情報が含まれているか否かを判定する。アンカー情報が含まれている（ＹＥＳ）と判定されたらＳＴ１４２に移行し、アンカー情報が含まれていない（ＮＯ）と判定されたらコンテンツ解析取得処理を終了する。【００４５】  ＳＴ１４２では、放送コンテンツ及び通信経路コンテンツに含まれるアンカー情報がリンクコンテンツを示すか否かをデータ放送制御部１２５において判定される。リンクコンテンツを示す（ＹＥＳ）と判定されたらＳＴ１４３に移行し、リンクコンテンツを示さない（ＮＯ）と判定されたらＳＴ１４１に戻る。【００４６】  ＳＴ１４３では、アンカー情報が示すリンクコンテンツがデータ蓄積部１０９に既に蓄積されているか、すなわち取得済みであるか否かを記録再生処理部１０８が確認する。既に取得済みである（ＹＥＳ）場合にはＳＴ１４１に戻り、取得済みではない（ＮＯ）場合にはＳＴ１４４に移行する。なお、既に取得済みである場合でも、通信経由でコンテンツを取得し、取得したコンテンツが取得済みのコンテンツ（データ蓄積部１０９に蓄積されたコンテンツ）との変更点がないか確認し、変更がなければ既に取得済みである（ＹＥＳ）としてＳＴ１４１に戻り、変更があれば取得済みではない（ＮＯ）としてＳＴ１４４に移行してもよい。【００４７】  ＳＴ１４４では、データ蓄積部１０９に蓄積されていないリンクコンテンツとこのリンクコンテンツを示すファイル名とを記録再生処理部１０８が通信経由で取得する。そして、取得したリンクコンテンツ及びそのファイル名をデータ蓄積部１０９に記録し、ＳＴ１４１に戻る。記録する形式としては、ＵＲＩ単位でディレクトリを形成し、形成したディレクトリに記録する。【００４８】  次に、図２に示したデジタル放送記録再生装置１００の再生処理の手順について図６を用いて説明する。図６において、ＳＴ１５１では、記録再生処理部１０８がデータ蓄積部１０９から蓄積されたトランスポートストリームを読み出し、読み出したトランスポートストリームを多重化分離部１０５が分離する。分離された映像情報を映像処理部１１３が、また、分離された音声情報を音声処理部１０６がそれぞれ処理することにより、映像及び音声の再生を行う。【００４９】  ＳＴ１５２では、ＳＴ１５１において再生されたトランスポートストリームに含まれるデータ放送コンテンツのうち、最初のページ（スタートアップコンテンツ）をデータ放送制御部１２５が取得する。【００５０】  ＳＴ１５３では、ＳＴ１５２において取得したスタートアップコンテンツ、すなわち、再生要求を受けているコンテンツが通信事業者仕様コンテンツであるか否かをデータ放送制御部１２５が判定する。通信事業者仕様コンテンツである（ＹＥＳ）と判定されたらＳＴ１５４に移行し、通信事業者仕様コンテンツではない（ＮＯ）と判定されたらＳＴ１５５に移行する。【００５１】  ＳＴ１５４では、ＳＴ１５３において、再生要求を受けているコンテンツが通信事業者仕様コンテンツであると判定されたので、通信事業者仕様コンテンツ再生処理部１１２がコンテンツを再生する。【００５２】  ＳＴ１５５では、ＳＴ１５３において、再生要求を受けているコンテンツが通信事業者仕様コンテンツではないと判定されたので、データ放送再生処理部１１１がコンテンツを再生する。【００５３】  ＳＴ１５６では、ユーザの入力操作による再生停止要求、電池残量低下などシステムによる再生停止要求があるか否かを全体制御部１２２が判定する。再生停止要求がある（ＹＥＳ）と判定されたらＳＴ１５７に移行し、再生停止要求がない（ＮＯ）と判定されたらＳＴ１５９に移行する。【００５４】  ＳＴ１５７では、記録再生処理部１０８がデータ蓄積部１０９からのトランスポートストリームの読み出しを停止することにより、映像及び音声の再生を停止する。ＳＴ１５８では、データ放送制御部１２５がデータ放送の再生を停止させ、デジタル放送記録再生装置１００の再生処理を終了する。【００５５】  ＳＴ１５９では、アンカー情報が示すコンテンツへの遷移要求の有無をデータ放送制御部１２５が確認する。なお、遷移要求は、ユーザの入力操作あるいはコンテンツ内のタイマー操作によって発生する。遷移要求がある（ＹＥＳ）場合にはＳＴ１６０に移行し、遷移要求がない（ＮＯ）場合にはＳＴ１５６に戻る。【００５６】  ＳＴ１６０では、遷移要求を受けているコンテンツが放送コンテンツであるか否かをデータ放送制御部１２５が判定する。放送コンテンツである（ＹＥＳ）と判定されたらＳＴ１６１に移行し、放送コンテンツではない（ＮＯ）と判定されたらＳＴ１６２に移行する。【００５７】  ＳＴ１６１では、記録再生処理部１０８が遷移要求を受けている放送コンテンツをデータ蓄積部１０９から取得し、ＳＴ１５３に戻る。【００５８】  ＳＴ１６２では、遷移要求を受けているコンテンツがリンクコンテンツであるか否かをデータ放送制御部１２５が判定する。リンクコンテンツである（ＹＥＳ）と判定されたらＳＴ１６３に移行し、リンクコンテンツではない（ＮＯ）と判定されたらＳＴ１６６に移行する。【００５９】  ＳＴ１６３では、遷移要求を受けているリンクコンテンツが既にデータ蓄積部１０９に記録されているか否かを記録再生処理部１０８が確認する。既に記録されている（ＹＥＳ）場合にはＳＴ１６１に移行し、記録されていない（ＮＯ）場合にはＳＴ１６４に移行する。【００６０】  ＳＴ１６４では、遷移要求を受けているリンクコンテンツがデータ蓄積部１０９に記録されていないので、全体制御部１２２が通信部１１７を介してリン��コンテンツを取得する。ＳＴ１６５では、ＳＴ１６４において取得したリンクコンテンツを記録再生処理部１０８がデータ蓄積部１０９に記録し、ＳＴ１５３に戻る。【００６１】  ＳＴ１６６では、遷移要求を受けているコンテンツが通信事業者仕様コンテンツであるので、全体制御部１２２が通信部１１７を介して通信事業者仕様コンテンツを取得する。ＳＴ１６７では、ＳＴ１６６において取得した通信事業者仕様コンテンツを記録再生処理部１０８がデータ蓄積部１０９に記録し、ＳＴ１５３に戻る。【００６２】  このように本実施の形態によれば、放送波によって受信したデータ放送コンテンツに含まれるアンカー情報に基づいて、通信経由でコンテンツを取得し、取得したコンテンツを放送コンテンツと対応付けて記録することにより、記録された放送コンテンツを再生する際に、アンカー情報で示された通信経由コンテンツを通信を介することなく再生することができる。【００６３】  以上、本発明の実施の形態について説明した。【００６４】  本発明のデジタル放送記録再生装置は、データ放送コンテンツを含む放送波を受信する受信手段と、前記受信手段によって受信されたデータ放送コンテンツ内に、通信経由で取得する通信経由コンテンツのアンカー情報が含まれるか否かを解析する解析手段と、前記解析手段の解析結果がデータ放送コンテンツ内にアンカー情報を含むことを示す場合、アンカー情報に基づいて通信経由コンテンツを取得する通信経由コンテンツ取得手段と、前記通信経由コンテンツ取得手段によって取得された通信経由コンテンツを前記アンカー情報と対応付けて蓄積する蓄積手段と、を具備する構成を採る。【００６５】  この構成によれば、放送波によって受信したデータ放送コンテンツに含まれるアンカー情報に基づいて、通信経由でコンテンツを取得し、取得したコンテンツをアンカー情報と対応付けて蓄積することにより、蓄積された放送コンテンツを再生する際に、アンカー情報で示された通信経由コンテンツを通信を介することなく再生することができる。【００６６】  本発明の第２の態様は、上記態様において、前記通信経由コンテンツ取得手段が、前記解析手段の解析結果がデータ放送コンテンツの更新を示す場合、更新されたデータ放送コンテンツ内に含まれる新たなアンカー情報に基づいて通信経由コンテンツを取得するデジタル放送記録再生装置である。【００６７】  この構成によれば、データ放送コンテンツが一般にデータカルーセル方式で送信されることから、同一のデータを繰り返し受信することになるが、データ放送コンテンツが更新されたときに、新たなアンカー情報に基づいて通信経由コンテンツを取得することにより、同一のアンカー情報から繰り返し通信経由コンテンツを取得することを回避し、取得していない通信経由コンテンツを効率よく取得することができる。【００６８】  本発明の第３の態様は、上記態様において、前記通信経由コンテンツ取得手段が、取得した通信経由コンテンツ内にさらにアンカー情報が含まれる場合、当該アンカー情報に基づいて通信経由コンテンツを取得するデジタル放送記録再生装置である。【００６９】  この構成によれば、取得した通信経由コンテンツ内にアンカー情報が含まれる限り、通信経��コンテンツを取得し続けることができる。【００７０】  本発明の第４の態様は、上記態様において、前記通信経由コンテンツ取得手段が、アンカー情報に含まれると共にコンテンツを識別するコンテンツ識別情報が、リンクコンテンツを示すことを条件に通信経由コンテンツを取得するデジタル放送記録再生装置である。【００７１】  この構成によれば、取得した通信経由コンテンツ内に含まれるアンカー情報がリンクコンテンツである場合に、そのリンクコンテンツを取得することにより、無限にコンテンツを取得することを制限することができる。【００７２】  本発明の第５の態様は、上記態様において、前記蓄積手段に蓄積された放送コンテンツを再生し、再生中の放送コンテンツから通信経由コンテンツに遷移する際、前記蓄積手段に蓄積された通信経由コンテンツを再生する記録再生処理手段を具備するデジタル放送記録再生装置である。【００７３】  この構成によれば、蓄積された放送コンテンツを再生中に通信経由コンテンツに遷移する際に、アンカー情報で示された通信経由コンテンツがサーバから削除又は更新されていた場合や、トンネルや地下など通信圏外の場合でも、当該通信経由コンテンツを再生することができる。【００７４】  本発明の第６の態様は、上記態様において、前記記録再生処理手段が、前記蓄積手段に蓄積された通信経由コンテンツの再生ができない場合、前記通信経由コンテンツ取得手段を介して通信経由コンテンツを取得し、取得した通信経由コンテンツを再生すると共に、前記蓄積手段に蓄積させるデジタル放送記録再生装置である。【００７５】  この構成によれば、蓄積された通信経由コンテンツが再生できない場合、当該コンテンツを通信経由で取得し、取得した通信経由コンテンツを再生すると共に、蓄積することにより、蓄積された通信経由コンテンツを次回再生する際には、通信経由で取得することを回避することができる。【００７６】  本明細書は、２００４年１２月２４日出願の特願２００４−３７３８１２に基づくものである。この内容は全てここに含めておく。
【産業上の利用可能性】
【００７７】  本発明にかかるデジタル放送記録再生装置は、放送波から取得した記録コンテンツの再生においても、当該コンテンツの取得時に通信経由で取得可能なコンテンツを再生することができるという効果を有し、携帯電話等の小型携帯端末に適用することができる。
【図１】
2006068238.tif 000002
【図２】
2006068238.tif 000003
【図３】
2006068238.tif 000004
【図４】
2006068238.tif 000005
【図５】
2006068238.tif 000006
【図６】
2006068238.tif 000007
【手続補正書】
【提出日】平成18年6月4日(2006.6.4)
【手続補正１】
【補正対象書類名】特許請求の範囲
【補正対象項目名】請求の範囲
【補正方法】変更
【補正の内容】
【書類名】請求の範囲
【請求項１】（補正後）データ放送コンテンツを含む放送波を受信する受信手段と、
前記受信手段によって受信されたデータ放送コンテンツ内に、通信経由で取得する通信経由コンテンツのアンカー情報が含まれるか否かを解析する解析手段と、
前記解析手段の解析結果がデータ放送コンテンツ内に通信経由で取得する通信経由コンテンツのアンカー情報を含むことを示す場合、アンカー情報に基づいて通信経由コンテンツを取得する通信経由コンテンツ取得手段と、
前記受信手段によって受信された放送波に含まれる放送コンテンツを蓄積すると共に、前記通信経由コンテンツ取得手段によって取得された通信経由コンテンツを前記アンカー情報と対応付けて蓄積する蓄積手段と、
を具備するデジタル放送記録再生装置。
【請求項２】前記通信経由コンテンツ取得手段は、前記解析手段の解析結果がデータ放送コンテンツの更新を示す場合、更新されたデータ放送コンテンツ内に含まれる新たなアンカー情報に基づいて通信経由コンテンツを取得する請求項１に記載のデジタル放送記録再生装置。
【請求項３】前記通信経由コンテンツ取得手段は、取得した通信経由コンテンツ内にさらにアンカー情報が含まれる場合、当該アンカー情報に基づいて通信経由コンテンツを取得する請求項１に記載のデジタル放送記録再生装置。
【請求項４】前記通信経由コンテンツ取得手段は、アンカー情報に含まれると共にコンテンツを識別するコンテンツ識別情報が、リンクコンテンツを示すことを条件に通信経由コンテンツを取得する請求項３に記載のデジタル放送記録再生装置。
【請求項５】前記蓄積手段に蓄積された放送コンテンツを再生し、再生中の放送コンテンツから通信経由コンテンツに遷移する際、前記蓄積手段に蓄積された通信経由コンテンツを再生する記録再生処理手段を具備する請求項１に記載のデジタル放送記録再生装置。
【請求項６】（補正後）前記記録再生処理手段は、前記蓄積手段に蓄積された通信経由コンテンツの再生ができない場合、前記通信経由コンテンツ取得手段を介して通信経由コンテンツを取得し、取得した通信経由コンテンツを再生すると共に、前記蓄積手段に蓄積させる請求項５に記載のデジタル放送記録再生装置。
１７
【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
データ放送コンテンツを含む放送波を受信する受信手段と、
前記受信手段によって受信されたデータ放送コンテンツ内に、通信経由で取得する通信経由コンテンツのアンカー情報が含まれるか否かを解析する解析手段と、
前記解析手段の解析結果がデータ放送コンテンツ内に通信経由で取得する通信経由コンテンツのアンカー情報を含むことを示す場合、アンカー情報に基づいて通信経由コンテンツを取得する通信経由コンテンツ取得手段と、
前記受信手段によって受信された放送波に含まれる放送コンテンツを蓄積すると共に、前記通信経由コンテンツ取得手段によって取得された通信経由コンテンツを前記アンカー情報と対応付けて蓄積する蓄積手段と、
を具備するデジタル放送記録再生装置。
【請求項２】
前記通信経由コンテンツ取得手段は、前記解析手段の解析結果がデータ放送コンテンツの更新を示す場合、更新されたデータ放送コンテンツ内に含まれる新たなアンカー情報に基づいて通信経由コンテンツを取得する請求項１に記載のデジタル放送記録再生装置。
【請求項３】
前記通信経由コンテンツ取得手段は、取得した通信経由コンテンツ内にさらにアンカー情報が含まれる場合、当該アンカー情報に基づいて通信経由コンテンツを取得する請求項１に記載のデジタル放送記録再生装置。
【請求項４】
前記通信経由コンテンツ取得手段は、アンカー情報に含まれると共にコンテンツを識別するコンテンツ識別情報が、リンクコンテンツを示すことを条件に通信経由コンテンツを取得する請求項３に記載のデジタル放送記録再生装置。
【請求項５】
前記蓄積手段に蓄積された放送コンテンツを再生し、再生中の放送コンテンツから通信経由コンテンツに遷移する際、前記蓄積手段に蓄積された通信経由コンテンツを再生する記録再生処理手段を具備する請求項１に記載のデジタル放送記録再生装置。
【請求項６】
前記記録再生処理手段は、前記蓄積手段に蓄積された通信経由コンテンツの再生ができない場合、前記通信経由コンテンツ取得手段を介して通信経由コンテンツを取得し、取得した通信経由コンテンツを再生すると共に、前記蓄積手段に蓄積させる請求項５に記載のデジタル放送記録再生装置。
【手続補正２】
【補正対象書類名】明細書
【補正対象項目名】全文
【補正方法】変更
【補正の内容】
【発明の詳細な説明】
【技術分野】
【０００１】
本発明は、デジタル放送記録再生装置に関する。
【背景技術】
【０００２】
ＢＳデジタル放送や地上波デジタル放送では、映像情報及び音声情報を放送波に含めることができることに加え、データ放送としてＢＭＬ（Broadcast Markup Language）コンテンツやモノメディアを放送波に含めることができる。
【０００３】
ＢＭＬやモノメディアを受信したテレビ等の受信装置に予めインターネットへの接続環境が整っていれば、例えば、ＢＭＬ内にアンカー情報として記述されたＵＲＩ（Uniform Resource Identifier）を辿ることにより、インターネット上のコンテンツにアクセスすることができる。
【０００４】
このようなデジタル放送を受信する受信装置には、録画機能を備えたものも知られており、例えば、特許文献１に記載されている技術が開示されている。特許文献１に記載のデジタル放送記録再生装置によれば、データカルーセル方式でコンテンツを伝送するＭＰＥＧ方式のトランスポートストリームによるデジタル放送を記録するとき、データ放送のデータパケットと映像／音声ストリームとを分離して記録すると共に、データパケットの送出終了時刻を映像／音声ストリームに同期可能なタイムスタンプとしてデータパケットに付加して記録する。これにより、データパケットを重複することなく記録し、かつ、映像／音声ストリームと同期して指定される時刻で再生することができる。
【０００５】
ところで、近年、テレビの視聴及び録画が可能な携帯電話等の小型携帯端末が普及しつつあり、このような小型携帯端末に対して、地上波デジタル放送では、１つのチャンネルの帯域（６ＭＨｚ）を１３分割したうちの１つ（１セグメント）を割り当て、割り当てた帯域を利用してサービスを行うことが予定されている。このデータ放送サービスを部分受信放送という。１セグメントで送信される情報量は非常に少ないため、小型携帯端末においても受信したデータ放送によってリンクされたコンテンツへのアクセスが想定される。
【特許文献１】特開２００２−１５２６８８号公報
【発明の開示】
【発明が解決しようとする課題】
【０００６】
しかしながら、特許文献１に記載のデジタル放送記録再生装置では、インターネット等の通信経由で取得するコンテンツまでは記録することができない。例えば、放送波に含まれるデータ放送コンテンツを記録していても、半年後あるいは１年後といった長い期間をおいて記録コンテンツを再生し、この再生中に通信経由でコンテンツを取得しようとしても、該当するコンテンツが既にサーバから削除または更新されている可能性が高い。このような場合には所望のコンテンツを取得することができなくなる。
【０００７】
本発明はかかる点に鑑みてなされたものであり、放送波から取得した記録コンテンツの再生においても、当該コンテンツの取得時に通信経由で取得可能なコンテンツを再生することができるデジタル放送記録再生装置を提供することを目的とする。
【課題を解決するための手段】
【０００８】
本発明のデジタル放送記録再生装置は、データ放送コンテンツを含む放送波を受信する受信手段と、前記受信手段によって受信されたデータ放送コンテンツ内に、通信経由で取得する通信経由コンテンツのアンカー情報が含まれるか否かを解析する解析手段と、前記解析手段の解析結果がデータ放送コンテンツ内にアンカー情報を含むことを示す場合、アンカー情報に基づいて通信経由コンテンツを取得する通信経由コンテンツ取得手段と、前記通信経由コンテンツ取得手段によって取得された通信経由コンテンツを前記アンカー情報と対応付けて蓄積する蓄積手段と、を具備する構成を採る。
【０００９】
この構成によれば、放送波によって受信したデータ放送コンテンツに含まれるアンカー情報に基づいて、通信経由でコンテンツを取得し、取得したコンテンツをアンカー情報と対応付けて蓄積することにより、蓄積された放送コンテンツを再生する際に、アンカー情報で示された通信経由コンテンツを通信を介することなく再生することができる。
【発明の効果】
【００１０】
本発明によれば、放送波から取得した記録コンテンツの再生においても、当該コンテンツの取得時に通信経由で取得可能なコンテンツを再生することができる。
【発明を実施するための最良の形態】
【００１１】
以下、本発明の実施の形態について、図面を参照して詳細に説明する。
【００１２】
（一実施の形態）
まず、本発明の一実施の形態におけるコンテンツについて図１を用いて定義する。コンテンツには、放送コンテンツ、リンクコンテンツ、非リンクコンテンツ、通信事業者仕様コンテンツがある。アンカー情報は、再生中のコンテンツから次のコンテンツに遷移するための情報であり、図１に示したコンテンツ間をつないだ矢印に相当する。アンカー情報により、例えば、放送コンテンツからリンクコンテンツ、非リンクコンテンツ、及び、通信事業者仕様コンテンツへの遷移が可能となる。ちなみに、アンカー情報のＵＲＩの先頭がhttp:であれば放送事業者コンテンツであるというように、ＵＲＩにより各コンテンツを区別する。
【００１３】
放送コンテンツには、放送波から取得される映像、音声、データ放送コンテンツが含まれる。リンクコンテンツは、データ放送規格に準拠した受信装置がリンク状態で提示することを想定して記述されたコンテンツである。放送コンテンツ及びリンクコンテンツを総称して放送事業者コンテンツという。なお、リンク状態とは、放送局が管理する双方向ウェブサーバ上のＢＭＬコンテンツと、放送のリソースである映像・音声とを受信装置が受信、再生することが可能な状態であり、具体的には、放送事業者コンテンツを再生している状態をいう。
【００１４】
また、非リンクコンテンツは、データ放送規格に準拠した受信装置がデータ放送ブラウザにより提示することを想定して記述されたコンテンツである。リンクコンテンツと非リンクコンテンツを総称して通信コンテンツといい、双方向ウェブサーバ上に配置されたＢＭＬコンテンツを指す。なお、上記リンク状態に対して非リンク状態とは、通信コンテンツのみを受信装置が受信、再生し、受信装置は放送のリソースである映像・音声を参照することができない状態であり、具体的には、放送事業者コンテンツ以外を再生している状態をいう。
【００１５】
そして、通信事業者仕様コンテンツは、通信事業者が定めた仕様に基づいて記述され、双方向ウェブサーバ上に配置されたコンテンツであり、ｉモード（登録商標）に代表される携帯電話網を用いたインターネット接続サービスによって提供されるコンテンツである。
【００１６】
放送コンテンツは放送波から取得するものであり、リンクコンテンツ、非リンクコンテンツ及び放送事業者仕様コンテンツは、インターネット等の通信経由で取得するものであることから通信経由コンテンツと称する。
【００１７】
図２は、本発明の一実施の形態に係るデジタル放送記録再生装置１００の構成を示すブロック図である。この図において、入力部１０１はボタンキー等であり、ユーザはボタンキーを操作することにより、再生、記録、選局等の指示を制御部１０２に入力する。
【００１８】
制御部１０２は、入力部１０１からの指示を受けて、デジタル放送記録再生装置１００内の各部を制御することにより、再生、記録、選局などを行う。制御部１０２の詳細については後述する。
【００１９】
チューナ部１０４は、放送アンテナ１０３を介して受信した放送波からユーザによって指定されたチャンネルの周波数信号を抽出し、抽出した周波数信号の符号復調処理を行う。符号復調処理された信号は多重化分離部１０５及び制御部１０２に出力される。
【００２０】
多重化分離部１０５は、制御部１０２から受信コンテンツの再生要求を受けると、チューナ部１０４から出力された信号を映像情報、音声情報、データ放送コンテンツなどに分離する。また、制御部１０２から記録コンテンツの再生要求を受けると、記録されたコンテンツを後述する記録再生処理部１０８を介して取得し、取得したコンテンツを映像情報、音声情報、データ放送コンテンツなどに分離する。分離された映像情報は映像処理部１１３に、音声情報は音声処理部１０６に、データ放送コンテンツはＤＳＭＣＣ処理部１１０にそれぞれ出力される。さらに、制御部１０２から記録要求を受けると、チューナ部１０４から出力された信号を分離することなく、トランスポートストリームの状態で記録再生処理部１０８に出力する。なお、チューナ部１０４及び多重化分離部１０５は、受信手段として機能する。
【００２１】
音声処理部１０６は、多重化分離部１０５から出力され、ＡＡＣ（Advanced Audio Coding）などで符号化された音声ストリームを復号し、復号した信号を音声出力部１０７に出力する。音声出力部１０７は、音声処理部１０６から出力された音声を出力する。
【００２２】
記録再生処理部１０８は、制御部１０２から記録要求を受けると、多重化分離部１０５から出力されたトランスポートストリームを取得し、取得したトランスポートストリームをデータ蓄積部１０９に蓄積する。また、制御部１０２から記録コンテンツの再生要求を受けると、データ蓄積部１０９から蓄積されたトランスポートストリームを読み出し、読み出したトランスポートストリームを多重化分離部１０５に出力する。
【００２３】
データ蓄積部１０９は、不揮発メモリ又は着脱可能な不揮発メモリであり、記録再生処理部１０８によってトランスポートストリームが蓄積され、また、蓄積されたトランスポートストリームが読み出される。
【００２４】
ＤＳＭＣＣ（Digital Storage Media Command and Control）処理部１１０は、データを繰り返し伝送する方式であるデータカルーセル方式によって送信されるデータ放送のモジュール（データカルーセルを構成する単位）を多重化分離部１０５から取得し、取得したモジュールからデータ放送コンテンツを構築する。構築されたデータ放送コンテンツはデータ放送再生処理部１１１に出力される。また、多重化分離部１０５からデータ放送関連のデータを取得し、取得したデータ放送コンテンツを解析することにより、イベントメッセージ及びモジュールの更新などの通知を受け、その旨を制御部１０２、記録再生処理部１０８及びデータ放送再生処理部１１１に通知する。なお、イベントメッセージとは、デジタル放送記録再生装置１００で動作しているマルチメディアコンテンツに対して放送局から即座にあるいは時刻指定でメッセージを単発的に送信するものである。
【００２５】
データ放送再生処理部１１１は、ＢＭＬを表示する放送コンテンツ表示ブラウザであり、制御部１０２からデータ放送の再生要求を受けると、ＤＳＭＣＣ処理部１１０から出力されたデータ放送コンテンツの再生を行い、再生したコンテンツを表示処理部１１４に出力する。また、データ放送コンテンツの再生又は停止を行うと、その動作確認通知を制御部１０２に対して行う。
【００２６】
通信事業者仕様コンテンツ再生処理部１１２は、通信事業者が定めた仕様に基づいて実装されたブラウザ（例えば、ｉ−ｍｏｄｅ（登録商標）ブラウザ）であり、制御部１０２から通信事業者仕様コンテンツの再生要求を受けると、制御部１０２から出力されたＨＴＭＬコンテンツ又は通信事業者が定めたコンテンツの再生を行い、再生したコンテンツを表示処理部１１４に出力する。また、通信事業者仕様コンテンツの再生又は停止を行うと、その動作確認通知を制御部１０２に対して行う。
【００２７】
映像処理部１１３は、多重化分離部１０５から出力され、高度動画像圧縮方式であるＨ．２６４（正式には、H.264/AVC(Advanced Video Coding)）などで符号化された映像ストリームを復号し、復号した信号を表示処理部１１４に出力する。
【００２８】
表示処理部１１４は、映像処理部１１３で復号された映像ストリームとデータ放送再生処理部１１１及び通信事業者仕様コンテンツ再生処理部１１２から出力されたコンテンツを合成し、合成した情報を表示部１１５に出力する。表示部１１５は、表示処理部１１４から出力された情報を表示する。
【００２９】
通信経由コンテンツ取得手段としての通信部１１７は、制御部１０２から通信経由コンテンツ取得要求を受けると、通信アンテナ１１６を介して通信ネットワークに接続し、双方向通信を行うことにより通信経由コンテンツを取得し、取得した通信経由コンテンツを制御部１０２に出力する。
【００３０】
図３は、図２に示した制御部１０２の内部構成を示すブロック図である。この図において、入力制御部１２１は、入力部１０１から指示された内容を再生要求、記録要求、選局要求などの要求情報に変換し、要求情報を全体制御部１２２に出力する。
【００３１】
全体制御部１２２は、入力制御部１２１から出力された要求情報に基づいて、選局部１２３、記録再生制御部１２４、データ放送制御部１２５及び通信部１１７の各部を制御する。
【００３２】
選局部１２３は、全体制御部１２２からの制御を受け、チューナ部１０４に周波数チャンネルを設定し、設定した周波数チャンネルに受信可能な放送波（トランスポートストリーム）がある場合は、周波数チャンネル選局の成功とし、チューナ部１０４から多重化分離部１０５へトランスポートストリームのまま出力させる。また、多重化分離部１０５で分離されたデータの解析を行い、解析により得られるトランスポートストリームのサービス構成を基に、トランスポートストリーム内の指定サービスの映像、音声などのストリームを抽出するように多重化分離部１０５を設定する。
【００３３】
記録再生制御部１２４は、全体制御部１２２からの制御を受け、ＵＲＩディレクトリを作成し、ＵＲＩから記録に必要なファイル名を抽出し、抽出したファイル名を録画ファイル名として取得したコンテンツに付け加え、記録再生処理部１０８に出力する。また、記録再生制御部１２４は、記録再生処理部１０８から録画開始、録画停止、データ蓄積部１０９の記録可能領域（空き容量）がなくなることによる記録不可などの動作確認通知を受け、その動作確認通知を全体制御部１２２に出力する。
【００３４】
データ放送制御部１２５は、全体制御部１２２から制御を受け、データ放送再生制御を行う。具体的には、以下のような処理を行う。データ放送制御部１２５は、ＤＳＭＣＣ処理部１１０を動作させ、データ放送コンテンツの構築を行わせ、構築されたデータ放送コンテンツをＤＳＭＣＣ処理部から取得する。また、通信部１１７からデータ放送コンテンツを取得する。このように取得したデータ放送コンテンツをデータ放送制御部１２５が解析し、解析結果を記録再生制御部１２４に通知する。なお、ＤＳＭＣＣ処理部１１０及びデータ放送制御部１２５は、解析手段として機能する。
【００３５】
また、データ放送制御部１２５は、データ放送再生処理部１１１に再生指示又は停止指示を行い、データ放送コンテンツの再生又は停止を行わせ、データ放送再生処理部１１１から動作確認通知を取得する。
【００３６】
さらに、データ放送制御部１２５は、通信経由コンテンツへの遷移が生じた場合、通信経由コンテンツを取得し、取得したコンテンツをその種別をファイル名の拡張子に基づいて判断する。拡張子が.bmlなどのデータ放送コンテンツはデータ放送再生処理部１１１に出力され、拡張子がhtmlなどの通信事業者仕様コンテンツは通信事業者仕様コンテンツ再生処理部１１２に出力される。すなわち、データ放送制御部１２５は通信経由コンテンツの種別に応じてデータ放送再生処理部１１１と通信事業者仕様コンテンツ再生処理部１１２との動作を排他的に切り替える。
【００３７】
なお、データ放送制御部１２５は、放送コンテンツにアンカー情報が含まれているか否かの解析を行い、アンカー情報が含まれていればアンカー情報に基づいてコンテンツを取得する。そして、取得したコンテンツをデータ蓄積部１０９に蓄積するように記録再生制御部１２４に指示する。
【００３８】
次に、図２に示したデジタル放送記録再生装置１００の記録処理の手順について図４を用いて説明する。図４において、ステップ（以下、「ＳＴ」と省略する）１３１では、データ蓄積部１０９が放送コンテンツを蓄積する。このとき、データ放送コンテンツのみを記録する方式、映像・音声とデータ放送コンテンツとを同時に記録する方式などいくつかの記録方式が考えられるが、指定された場所又は時間から再生可能な方式で記録すればその方式は何でもよい。
【００３９】
ＳＴ１３２では、ＤＳＭＣＣ処理部１１０がデータ放送コンテンツの追加、変更、削除を含む更新の有無を判定する。データ放送コンテンツが更新されている（ＹＥＳ）と判定されたらＳＴ１３３に移行し、更新されていない（ＮＯ）と判定されたらＳＴ１３６に移行する。ここで、データ放送コンテンツの更新には、番組の開始、終了、データ放送の開始、終了も含むものとする。
【００４０】
ＳＴ１３３では、データ放送制御部１２５が現在放送されている放送コンテンツを全て取得し、ＳＴ１３４では、データ放送制御部１２５がアンカー情報の有無について未解析のコンテンツがあるか否かを判定する。未解析のコンテンツがある（ＹＥＳ）と判定されたらＳＴ１３５に移行し、未解析のコンテンツがない（ＮＯ）と判定されたらＳＴ１３６に移行する。
【００４１】
ＳＴ１３５では、ＤＳＭＣＣ処理部１１０が未解析のコンテンツにアンカー情報が含まれるか否かを解析し、アンカー情報が含まれていたらアンカー情報に基づいて、通信経由コンテンツを取得し、ＳＴ１３４に戻る。なお、ＳＴ１３５の処理をコンテンツ解析取得処理と称し、その詳細な手順については後述する。
【００４２】
ＳＴ１３６では、ユーザの入力操作による記録停止要求、電池残量低下などシステムによる記録停止要求があるか否かを全体制御部１２２が判定する。記録停止要求がある（ＹＥＳ）と判定されたらデジタル放送記録再生装置１００の記録処理を終了し、記録停止要求がない（ＮＯ）と判定されたらＳＴ１３１に戻る。
【００４３】
次に、図４のＳＴ１３５に示したコンテンツ解析取得処理の詳細な手順について図５を用いて説明する。図５において、ＳＴ１４１では、データ放送制御部１２５が未解析の放送コンテンツ及び通信経路コンテンツにアンカー情報が含まれているか否かを判定する。アンカー情報が含まれている（ＹＥＳ）と判定されたらＳＴ１４２に移行し、アンカー情報が含まれていない（ＮＯ）と判定されたらコンテンツ解析取得処理を終了する。
【００４４】
ＳＴ１４２では、放送コンテンツ及び通信経路コンテンツに含まれるアンカー情報がリンクコンテンツを示すか否かをデータ放送制御部１２５において判定される。リンクコンテンツを示す（ＹＥＳ）と判定されたらＳＴ１４３に移行し、リンクコンテンツを示さない（ＮＯ）と判定されたらＳＴ１４１に戻る。
【００４５】
ＳＴ１４３では、アンカー情報が示すリンクコンテンツがデータ蓄積部１０９に既に蓄積されているか、すなわち取得済みであるか否かを記録再生処理部１０８が確認する。既に取得済みである（ＹＥＳ）場合にはＳＴ１４１に戻り、取得済みではない（ＮＯ）場合にはＳＴ１４４に移行する。なお、既に取得済みである場合でも、通信経由でコンテンツを取得し、取得したコンテンツが取得済みのコンテンツ（データ蓄積部１０９に蓄積されたコンテンツ）との変更点がないか確認し、変更がなければ既に取得済みである（ＹＥＳ）としてＳＴ１４１に戻り、変更があれば取得済みではない（ＮＯ）としてＳＴ１４４に移行してもよい。
【００４６】
ＳＴ１４４では、データ蓄積部１０９に蓄積されていないリンクコンテンツとこのリンクコンテンツを示すファイル名とを記録再生処理部１０８が通信経由で取得する。そして、取得したリンクコンテンツ及びそのファイル名をデータ蓄積部１０９に記録し、ＳＴ１４１に戻る。記録する形式としては、ＵＲＩ単位でディレクトリを形成し、形成したディレクトリに記録する。
【００４７】
次に、図２に示したデジタル放送記録再生装置１００の再生処理の手順について図６を用いて説明する。図６において、ＳＴ１５１では、記録再生処理部１０８がデータ蓄積部１０９から蓄積されたトランスポートストリームを読み出し、読み出したトランスポートストリームを多重化分離部１０５が分離する。分離された映像情報を映像処理部１１３が、また、分離された音声情報を音声処理部１０６がそれぞれ処理することにより、映像及び音声の再生を行う。
【００４８】
ＳＴ１５２では、ＳＴ１５１において再生されたトランスポートストリームに含まれるデータ放送コンテンツのうち、最初のページ（スタートアップコンテンツ）をデータ放送制御部１２５が取得する。
【００４９】
ＳＴ１５３では、ＳＴ１５２において取得したスタートアップコンテンツ、すなわち、再生要求を受けているコンテンツが通信事業者仕様コンテンツであるか否かをデータ放送制御部１２５が判定する。通信事業者仕様コンテンツである（ＹＥＳ）と判定されたらＳＴ１５４に移行し、通信事業者仕様コンテンツではない（ＮＯ）と判定されたらＳＴ１５５に移行する。
【００５０】
ＳＴ１５４では、ＳＴ１５３において、再生要求を受けているコンテンツが通信事業者仕様コンテンツであると判定されたので、通信事業者仕様コンテンツ再生処理部１１２がコンテンツを再生する。
【００５１】
ＳＴ１５５では、ＳＴ１５３において、再生要求を受けているコンテンツが通信事業者仕様コンテンツではないと判定されたので、データ放送再生処理部１１１がコンテンツを再生する。
【００５２】
ＳＴ１５６では、ユーザの入力操作による再生停止要求、電池残量低下などシステムによる再生停止要求があるか否かを全体制御部１２２が判定する。再生停止要求がある（ＹＥＳ）と判定されたらＳＴ１５７に移行し、再生停止要求がない（ＮＯ）と判定されたらＳＴ１５９に移行する。
【００５３】
ＳＴ１５７では、記録再生処理部１０８がデータ蓄積部１０９からのトランスポートストリームの読み出しを停止することにより、映像及び音声の再生を停止する。ＳＴ１５８では、データ放送制御部１２５がデータ放送の再生を停止させ、デジタル放送記録再生装置１００の再生処理を終了する。
【００５４】
ＳＴ１５９では、アンカー情報が示すコンテンツへの遷移要求の有無をデータ放送制御部１２５が確認する。なお、遷移要求は、ユーザの入力操作あるいはコンテンツ内のタイマー操作によって発生する。遷移要求がある（ＹＥＳ）場合にはＳＴ１６０に移行し、遷移要求がない（ＮＯ）場合にはＳＴ１５６に戻る。
【００５５】
ＳＴ１６０では、遷移要求を受けているコンテンツが放送コンテンツであるか否かをデータ放送制御部１２５が判定する。放送コンテンツである（ＹＥＳ）と判定されたらＳＴ１６１に移行し、放送コンテンツではない（ＮＯ）と判定されたらＳＴ１６２に移行する。
【００５６】
ＳＴ１６１では、記録再生処理部１０８が遷移要求を受けている放送コンテンツをデータ蓄積部１０９から取得し、ＳＴ１５３に戻る。
【００５７】
ＳＴ１６２では、遷移要求を受けているコンテンツがリンクコンテンツであるか否かをデータ放送制御部１２５が判定する。リンクコンテンツである（ＹＥＳ）と判定されたらＳＴ１６３に移行し、リンクコンテンツではない（ＮＯ）と判定されたらＳＴ１６６に移行する。
【００５８】
ＳＴ１６３では、遷移要求を受けているリンクコンテンツが既にデータ蓄積部１０９に記録されているか否かを記録再生処理部１０８が確認する。既に記録されている（ＹＥＳ）場合にはＳＴ１６１に移行し、記録されていない（ＮＯ）場合にはＳＴ１６４に移行する。
【００５９】
ＳＴ１６４では、遷移要求を受けているリンクコンテンツがデータ蓄積部１０９に記録されていないので、全体制御部１２２が通信部１１７を介してリンクコンテンツを取得する。ＳＴ１６５では、ＳＴ１６４において取得したリンクコンテンツを記録再生処理部１０８がデータ蓄積部１０９に記録し、ＳＴ１５３に戻る。
【００６０】
ＳＴ１６６では、遷移要求を受けているコンテンツが通信事業者仕様コンテンツであるので、全体制御部１２２が通信部１１７を介して通信事業者仕様コンテンツを取得する。ＳＴ１６７では、ＳＴ１６６において取得した通信事業者仕様コンテンツを記録再生処理部１０８がデータ蓄積部１０９に記録し、ＳＴ１５３に戻る。
【００６１】
このように本実施の形態によれば、放送波によって受信したデータ放送コンテンツに含まれるアンカー情報に基づいて、通信経由でコンテンツを取得し、取得したコンテンツを放送コンテンツと対応付けて記録することにより、記録された放送コンテンツを再生する際に、アンカー情報で示された通信経由コンテンツを通信を介することなく再生することができる。
【００６２】
以上、本発明の実施の形態について説明した。
【００６３】
本発明のデジタル放送記録再生装置は、データ放送コンテンツを含む放送波を受信する受信手段と、前記受信手段によって受信されたデータ放送コンテンツ内に、通信経由で取得する通信経由コンテンツのアンカー情報が含まれるか否かを解析する解析手段と、前記解析手段の解析結果がデータ放送コンテンツ内にアンカー情報を含むことを示す場合、アンカー情報に基づいて通信経由コンテンツを取得する通信経由コンテンツ取得手段と、前記通信経由コンテンツ取得手段によって取得された通信経由コンテンツを前記アンカー情報と対応付けて蓄積する蓄積手段と、を具備する構成を採る。
【００６４】
この構成によれば、放送波によって受信したデータ放送コンテンツに含まれるアンカー情報に基づいて、通信経由でコンテンツを取得し、取得したコンテンツをアンカー情報と対応付けて蓄積することにより、蓄積された放送コンテンツを再生する際に、アンカー情報で示された通信経由コンテンツを通信を介することなく再生することができる。
【００６５】
本発明の第２の態様は、上記態様において、前記通信経由コンテンツ取得手段が、前記解析手段の解析結果がデータ放送コンテンツの更新を示す場合、更新されたデータ放送コンテンツ内に含まれる新たなアンカー情報に基づいて通信経由コンテンツを取得するデジタル放送記録再生装置である。
【００６６】
この構成によれば、データ放送コンテンツが一般にデータカルーセル方式で送信されることから、同一のデータを繰り返し受信することになるが、データ放送コンテンツが更新されたときに、新たなアンカー情報に基づいて通信経由コンテンツを取得することにより、同一のアンカー情報から繰り返し通信経由コンテンツを取得することを回避し、取得していない通信経由コンテンツを効率よく取得することができる。
【００６７】
本発明の第３の態様は、上記態様において、前記通信経由コンテンツ取得手段が、取得した通信経由コンテンツ内にさらにアンカー情報が含まれる場合、当該アンカー情報に基づいて通信経由コンテンツを取得するデジタル放送記録再生装置である。
【００６８】
この構成によれば、取得した通信経由コンテンツ内にアンカー情報が含まれる限り、通信経由コンテンツを取得し続けることができる。
【００６９】
本発明の第４の態様は、上記態様において、前記通信経由コンテンツ取得手段が、アンカー情報に含まれると共にコンテンツを識別するコンテンツ識別情報が、リンクコンテンツを示すことを条件に通信経由コンテンツを取得するデジタル放送記録再生装置である。
【００７０】
この構成によれば、取得した通信経由コンテンツ内に含まれるアンカー情報がリンクコンテンツである場合に、そのリンクコンテンツを取得することにより、無限にコンテンツを取得することを制限することができる。
【００７１】
本発明の第５の態様は、上記態様において、前記蓄積手段に蓄積された放送コンテンツを再生し、再生中の放送コンテンツから通信経由コンテンツに遷移する際、前記蓄積手段に蓄積された通信経由コンテンツを再生する記録再生処理手段を具備するデジタル放送記録再生装置である。
【００７２】
この構成によれば、蓄積された放送コンテンツを再生中に通信経由コンテンツに遷移する際に、アンカー情報で示された通信経由コンテンツがサーバから削除又は更新されていた場合や、トンネルや地下など通信圏外の場合でも、当該通信経由コンテンツを再生することができる。
【００７３】
本発明の第６の態様は、上記態様において、前記記録再生処理手段が、前記蓄積手段に蓄積された通信経由コンテンツの再生ができない場合、前記通信経由コンテンツ取得手段を介して通信経由コンテンツを取得し、取得した通信経由コンテンツを再生すると共に、前記蓄積手段に蓄積させるデジタル放送記録再生装置である。
【００７４】
この構成によれば、蓄積された通信経由コンテンツが再生できない場合、当該コンテンツを通信経由で取得し、取得した通信経由コンテンツを再生すると共に、蓄積することにより、蓄積された通信経由コンテンツを次回再生する際には、通信経由で取得することを回避することができる。
【００７５】
本明細書は、２００４年１２月２４日出願の特願２００４−３７３８１２に基づくものである。この内容は全てここに含めておく。
【産業上の利用可能性】
【００７６】
本発明にかかるデジタル放送記録再生装置は、放送波から取得した記録コンテンツの再生においても、当該コンテンツの取得時に通信経由で取得可能なコンテンツを再生することができるという効果を有し、携帯電話等の小型携帯端末に適用することができる。
【図面の簡単な説明】
【００７７】
【図１】本発明の一実施の形態におけるコンテンツの定義の説明に供する図
【図２】本発明の一実施の形態に係るデジタル放送記録再生装置の構成を示すブロック図
【図３】図２に示した制御部の内部構成を示すブロック図
【図４】図２に示したデジタル放送記録再生装置の記録処理の手順を示すフロー図
【図５】図４に示したコンテンツ解析取得処理の詳細な手順を示すフロー図
【図６】図２に示したデジタル放送記録再生装置の再生処理の手順を示すフロー図
【手続補正３】
【補正対象書類名】図面
【補正対象項目名】全図
【補正方法】変更
【補正の内容】
【図１】
2006068238.tif 000008
【図２】
2006068238.tif 000009
【図３】
2006068238.tif 000010
【図４】
2006068238.tif 000011
【図５】
2006068238.tif 000012
【図６】
2006068238.tif 000013
【国際調査報告】
2006068238.tif 000014
2006068238.tif 000015